(57)【要約】【課題】物干し部材を昇降するときに物干し部材が障害物に当たったりして傾いて停止した際に物干し部材を水平に戻して弛み検知手段の検知を解除して正常に戻すのが容易にできるようにする。【解決手段】天井１に配置したモータ４の巻き取りドラム５に一対のワイヤー６を巻き取り、巻き戻し自在に巻き付けると共に一対のワイヤー６をプーリー１６を介して夫々に物干し部材７の両端部に連結して吊り下げ、ワイヤー６の巻き取りドラム５に対する巻き取りや巻き戻しにより物干し部材７を上下に昇降し得るようにした昇降物干し装置である。これにおいて、一対のプーリー１６の近傍にワイヤー６の弛みを検知する弛み検知手段Ｓを設け、モータ４を回転駆動して物干し部材７を昇降している際に弛み検知手段Ｓでワイヤー６の弛みを検知したとき、モータ４の回転を所定時間だけ反転してから停止するように制御する制御部１１を設ける。【選択図】        図１
2006102381.tif 000002
【特許請求の範囲】
【請求項１】
天井に配置したモータの巻き取りドラムに一対のワイヤーを巻き取り、巻き戻し自在に巻き付けると共に一対のワイヤーをプーリーを介して夫々に物干し部材の両端部に連結して吊り下げ、ワイヤーの巻き取りドラムに対する巻き取りや巻き戻しにより物干し部材を上下に昇降し得るようにした昇降物干し装置において、一対のプーリーの近傍にプーリーに掛けたワイヤーの弛みを検知する弛み検知手段を設け、モータを回転駆動して物干し部材を昇降している際に弛み検知手段でワイヤーの弛みを検知したとき、モータの回転を所定時間だけ反転してから停止するように制御する制御部を設けたことを特徴とする昇降物干し装置。
【請求項２】
天井に配置したモータの巻き取りドラムに一対のワイヤーを巻き取り、巻き戻し自在に巻き付けると共に一対のワイヤーをプーリーを介して夫々に物干し部材の両端部に連結して吊り下げ、ワイヤーの巻き取りドラムに対する巻き取りや巻き戻しにより物干し部材を上下に昇降し得るようにした昇降物干し装置において、一対のプーリーの近傍にプーリーに掛けたワイヤーの弛みを検知する弛み検知手段を設け、弛み検知手段がワイヤーの弛みを検知している状態ではモータの駆動を不可とすると共にこの状態において操作器の釦操作が所定時間内に複数回行われたときにモータの回転を所定時間だけ反転して停止するように制御する制御部を設けたことを特徴とする昇降物干し装置。
【発明の詳細な説明】
【技術分野】
【０００１】
本発明は、室内で洗濯物を干すのに用いる昇降物干し装置に関するものである。
【背景技術】
【０００２】
近年、天井に配置したモータの巻き取りドラムに一対のワイヤーを巻き取り、巻き戻し自在に巻き付けると共に一対のワイヤーをプーリーを介して夫々に物干し部材の両端部に連結して吊り下げ、ワイヤーの巻き取りドラムに対する巻き取りや巻き戻しにより物干し部材を上下に昇降し得るようにした昇降物干し装置が知られている（例えば特許文献１参照）。またこの装置では、プーリーに掛けたワイヤーが弛むのを検知する弛み検知手段を設けてあり、モータを回転駆動して物干し部材を昇降しているときに物干し部材が障害物に当たったりして傾いた場合、ワイヤーの弛みを弛み検知手段で検知してモータを停止して物干し部材の昇降を止めるようになっている。
【特許文献１】特開２０００−１２６４９６号公報
【発明の開示】
【発明が解決しようとする課題】
【０００３】
上記のように物干し部材を昇降しているとき物干し部材が障害物に当たったりした場合に昇降を停止して装置の故障を防止したり、安全性を確保したりできるが、ワイヤーの弛みを検知したときにモータを停止するだけのために、弛み検知手段がワイヤーの弛みを検知した原因を取り除いた後、使用者が手で物干し部材が水平なるように操作して弛み検知手段の検知を解除して正常に動作するように戻さなければならなく、取り扱いに手間がかかるという問題があった。
【０００４】
本発明は上記の従来の問題点に鑑みて発明したものであって、物干し部材を昇降するときに物干し部材が障害物に当たったりして傾いて停止した際に物干し部材を水平に戻して弛み検知手段の検知を解除して正常に戻すのが容易にできる昇降物干し装置を提供することを課題とするものである。
【課題を解決するための手段】
【０００５】
上記課題を解決するために本発明の昇降物干し装置は、天井１に配置したモータ４の巻き取りドラム５に一対のワイヤー６を巻き取り、巻き戻し自在に巻き付けると共に一対のワイヤー６をプーリー１６を介して夫々に物干し部材７の両端部に連結して吊り下げ、ワイヤー６の巻き取りドラム５に対する巻き取りや巻き戻しにより物干し部材７を上下に昇降し得るようにした昇降物干し装置において、一対のプーリー１６の近傍にプーリー１６に掛けたワイヤー６の弛みを検知する弛み検知手段Ｓを設け、モータ４を回転駆動して物干し部材７を昇降している際に弛み検知手段Ｓでワイヤー６の弛みを検知したとき、モータ４の回転を所定時間だけ反転してから停止するように制御する制御部１１を設けたことを特徴とする。
【０００６】
上記の構成によれば、モータ４を回転駆動して物干し部材７を昇降しているときに物干し部材７が障害物に当たって物干し部材７が傾いたりした場合、弛み検知手段Ｓがワイヤー６の弛みを検知して物干し部材７の昇降が停止されるが、このとき、モータ４の回転を所定時間だけ反転してから停止されるために自動的に物干し部材７が水平になって弛み検知手段Ｓの検知を解除できるものであって、自動的に正常な状態に戻して停止できる。このため、物干し部材７が障害物に当たって停止したときに自動的に正常な状態に戻り、従来のように取り扱いに手間を要しない。
【０００７】
また本発明の他の昇降物干し装置は、天井１に配置したモータ４の巻き取りドラム５に一対のワイヤー６を巻き取り、巻き戻し自在に巻き付けると共に一対のワイヤー６をプーリー１６を介して夫々に物干し部材７の両端部に連結して吊り下げ、ワイヤー６の巻き取りドラム７に対する巻き取りや巻き戻しにより物干し部材７を上下に昇降し得るようにした昇降物干し装置において、一対のプーリー１６の近傍にプーリー１６に掛けたワイヤー６の弛みを検知する弛み検知手段Ｓを設け、弛み検知手段Ｓがワイヤーの弛みを検知している状態ではモータの駆動を不可とすると共にこの状態において操作器９の釦操作が所定時間内に複数回行われたときにモータ４の回転を所定時間だけ反転して停止するように制御する制御部１１を設けたことを特徴とする。
【０００８】
上記構成によれば、操作器９を操作して昇降させているときに使用者が物干し部材７が障害物に当たるのを認識して昇降を停止したとき、物干し部材７の昇降は停止されるが、このとき物干し部材７が傾いて弛み検知手段Ｓが弛みを検知したとき、使用者が操作器９の釦の押圧を複数回繰り返す操作をすると、モータ４の回転を所定時間だけ反転してから停止される。これにより物干し部材７が水平になって弛み検知手段Ｓの検知を解除して正常な状態に戻すことができる。従って物干し部材７が障害物に当たって停止したとき従来のような取り扱いの手間を要せずに正常な状態に戻すことができる。これはスイッチを操作しても動かなくなったときに人がスイッチ操作する行為の心理的な現象を利用して正常に戻すようにしたものである。
【発明の効果】
【０００９】
本発明は叙述の如く物干し部材が障害物に当たって傾いたときに弛み検知手段でワイヤーの弛みを検知して物干し部材の昇降が停止されるが、このときモータの回転を所定時間だけ反転して停止されるために従来のような取り扱いの手間を要したりしなく正常な状態に戻すことができ、便利に使用できものである。
【発明を実施するための最良の形態】
【００１０】
以下、本発明を添付図面に示す実施形態に基いて説明する。図１乃至図４は昇降物干し装置の構造を示すものである。天井１には開口部１２を設けてあり、この開口部１２の天井裏２に収納ボックスを装着したりして収納部３を形成してあり、この収納部３に物干し部材７を収納し得るようにしてある。物干し部材７は両側に設けた一対の竿受け１３と両側の竿受け１３に架設した複数本の物干し竿１４とで構成されている。物干し竿１４は物干し竿１４の長手方向に伸縮自在にしてあり、物干し竿１４を縮めた状態では収納部３に物干し部材７を収納することができるが、物干し竿１４を伸ばした状態では物干し部材７を収納部３に収納できないようになっている。パンタグラフ状の伸縮アーム１５は両側に配置してあり、両側の伸縮アーム１５の下端を物干し部材７の両側の竿受け１３に連結してあり、伸縮アーム１５の上端を収納部３の上で機構収納部８に支持してある。この伸縮アーム１５で物干し部材７を吊り支持することで物干し部材７の昇降をガイドできるようになっている。
【００１１】
収納部３の上の機構収納部８にはモータ４を設けてあり、このモータ４にモータ４にて回転駆動される巻き取りドラム５を設けてあり、この巻き取りドラム５に一対のワイヤー６を巻き取り巻き戻し自在に巻き付けてある。この一対のワイヤー６は収納部３の上の機構収納部８内の両側に配置したプーリー１６に掛け回してあり、ワイヤー６の巻き取りドラム５と反対の端部を物干し部材７の竿受け１３に連結してある。しかしてモータ４を一方方向に駆動して巻き取りドラム５にワイヤー６を巻き取ると物干し部材７が上昇し、モータ４を逆方向に駆動して巻き取りドラム５からワイヤー６を巻き戻すと、物干し部材７が下降するようになっている。上記一対のプーリー１６はバネ２７に支持してあり、ワイヤー６が弛んだときバネ２７に引っ張られてプーリー１６が移動し、ワイヤー６が弛んだことを弛み検知手段Ｓとしての弛み検知リミットスイッチ１７にて検知できるようになっている。
【００１２】
また物干し部材７が下限位置まで下降したとき検知する下限リミットスイッチ１８が収納部３の上の機構収納部８に配置してあり、横長孔１９に対して摺動するパンタグラフ状の伸縮アーム１５の上端部のリンク１５ａの端部が下限リミットスイッチ１８に当たったときに下限を検知するようになっている。また物干し部材７が収納部３に収納されて上限位置まで上昇した時検知する上限リミットスイッチ２０、物干し部材７が天井１面に近接する干し位置まで上昇したときに検知する干し位置検知リミットスイッチ２１が収納部３の上の機構収納部８に配置してあり、縦長孔２２に上下に摺動自在に支持され、且つ上端部のリンク１５ａの回動にて上下するローラ２３が上限リミットスイッチ２０に当たった時上限を検知し、ローラ２３が干し位置検知リミットスイッチ２１に当たったときに干し位置を検知するようになっている。
【００１３】
物干し部材７の昇降を操作する操作器１０には図５に示すように上昇操作釦１０と下降兼停止操作釦２４とを設けてあり、上昇操作釦１０を押してオンすると物干し部材７が上昇するようにモータ４が駆動されるようになっており、下降兼停止操作釦２４を押してオンすると物干し部材７が下降するようにモータ４が駆動されるようになっており、再度下降兼停止操作釦２４を押してオフするとモータ４を停止するようになっている。また操作器１０にはキースイッチ２５を設けてあり、キースイッチ２５にキーを差し込んでロックを解除したときだけ上昇操作釦１０や下降兼停止操作釦２４が利くようになっている。図６は上記のように構成せる昇降物干し装置を制御する制御ブロック図を示し、操作器１０を操作することで制御部１１にてモータ４の駆動が制御されるようになっている。
【００１４】
物干し部材７の物干し竿１４はモータ４の駆動で巻き取りドラム５にワイヤー６を巻き取ったり、巻き戻したりすることにより昇降されるが、図７のＡに示す位置は物干し竿１４が最上位置であり、Ｂに示す位置は天井１下で天井１面に物干し竿１４が近接した干し位置であり、Ｃに示す位置は物干し竿１４に洗濯物を掛けたり洗濯物を取り出したりのに適するように設定された所定の下降位置であり、Ｄに示す位置は物干し竿１４が最下部まで移動した下限位置である。物干し竿１４は物干し竿１４の長手方向に伸縮自在になっているが、図７のＣ、Ｄの位置では物干し竿１４を伸ばした状態を図示してある。
【００１５】
次に操作器９を操作して物干し部材７を昇降する動作を説明する。図７のＡ位置からＣ位置に下降させるときは、下降兼停止操作釦２４を一度押して下降をオンにする。すると、巻き取りドラム５のワイヤー６を巻き戻すようにモータ４が駆動され、設定された時間だけワイヤー６が巻き戻され、設定された高さ位置に（Ｃ位置）に自動的に下降する。Ａ位置からＣ位置に下降させる途中に下降兼停止操作釦２４を再度押すとモータ４が停止されて任意の位置に物干し部材７が停止する。またＣの位置からＤの位置まで下降させるときはＣに示す位置で下降兼停止操作釦２５を一度押すと、ワイヤー６を巻き戻すようにモータ４が駆動され、Ｄ位置まで下降したとき下限リミットスイッチ１８が下限位置を検知してモータ４が停止してＤ位置で物干し部材７は自動的にて停止する。
【００１６】
上記のように下降兼停止操作釦２４を操作して物干し部材７を下降させたとき、Ｃ位置において設定された所定の高さ位置で物干し部材７の下降が停止するようになっているが、このＣ位置で物干し部材７が停止する位置はＢ位置より下であれば使用者にニーズに応じて任意に設定可能になっている。この場合、Ｂ位置より低い位置の好みの設定したい高さ位置に上昇操作釦１０や下降兼停止操作釦２４を操作して物干し部材７を位置させる。この状態で上昇操作釦１０と下降兼停止操作釦２４を同時に押し続け（例えば５秒程度）てその位置を設定する。すると物干し部材７がＢ位置まで上昇し（上昇するまでの時間が計測される）、上昇に要した時間だけの物干し部材７が下降させられてＢ位置からＣ位置まで下降し（設定位置を確認するためにＣ位置まで下降する）、これにより設定した位置が記憶される。
【００１７】
またＣ位置やＤ位置からＡ位置に物干し部材７を上昇させて収納部３に物干し部材７を収納するときは操作器９の上昇操作釦１０を押し続ける。すると、ワイヤー６が巻き取りドラム５に巻き取られるようにモータ１が駆動され、物干し部材７が上昇する。このとき上昇操作釦１０の押圧を解除すると任意の高さ位置で停止する。上昇操作釦１０を押し続けて物干し部材７がＢ位置まで上昇すると、干し位置検知リミットスイッチ２１がその位置を検知し、上昇操作釦１０を押し続けていても物干し部材７の上昇が停止される。この状態で物干し部材７が収納部３に収納できる長さに縮められているか確認することができる。Ｂ位置で物干し部材７が停止した状態で上昇操作釦１０の押圧を解除して再度上昇釦１１を押圧するとワイヤー６を巻き取りドラム５に巻き取るようにモータ４が駆動されて再度物干し部材７が上昇し、物干し部材７が収納部３内に収納される。そしてＤ位置にくると、上限リミットスイッチ２０がその位置を検知し、物干し部材７の上昇が停止される。
【００１８】
また上記のように物干し部材７が上昇したり下降したりするが、上昇したり下降したりするとき、物干し部材７が障害物に当たると、物干し部材７が傾くが、このとき、一対のワイヤー６のいずれかに弛みを生じる。このとき弛み検知リミットスイッチ１７が弛みを検知し、モータ４が停止して物干し部材７の昇降が停止されるようになっている。本発明ではモータ４を駆動して物干し部材７を昇降している際、弛み検知リミットスイッチ１７がワイヤー６の弛みを検知したとき単に停止するのでなく、モータ４の回転を所定時間だけ反転してから停止するように制御部１１で制御している。
【００１９】
図８は操作器９の上昇操作釦１０を押して物干し部材７を上昇させているときのタイムチャートを示すものである。上昇操作釦１０を押し続けて物干し部材７が上昇するようにモータ４を回転駆動しているときに、物干し部材７が障害物に当たって傾いて弛み検知リミットスイッチ１７が弛みを検知したとき下降するようにモータ４が所定時間反転駆動されてから止まる。
【００２０】
図９は操作器９の下降兼停止操作釦２４を押して物干し部材７を下降させているときのタイムチャートを示すものである。下降兼停止操作釦２４を押して物干し部材７が下降するようにモータ４を回転駆動しているときに、物干し部材７が障害物に当たって傾いて弛み検知リミットスイッチ１７が弛みを検知したとき上昇するようにモータ４が所定時間反転駆動されてから止まる。
【００２１】
このように弛み検知リミットスイッチ１７が弛みを検知して停止するとき、所定時間だけモータ４が反転駆動されてから停止するために、傾いた物干し部材７が水平に戻されると共に弛み検知リミットスイッチ１７の検知が解除されて自動的に正常な状態に戻る。このため、障害を取り除けば、再度操作器９を操作して昇降させることができる。
【００２２】
また図１０はＢ位置からＡ位置に上昇させる際に物干し部材７が上限まで上昇したとに弛みを検知した場合のタイムチャートを示すものである。操作器９の上昇操作釦１０を押し続けて物干し部材７を上昇させているとき、物干し部材７が上限まで上昇すると上限リミットスイッチ２１が上限まで上昇したことを検知してモータ４を停止するが、このとき物干し部材７が傾いたりして弛み検知リミットスイッチ１７がワイヤー６の弛みも検知すると、下降するようにモータ４が所定時間反転駆動されて停止する。この場合も、物干し部材７を水平にして正常な状態に自動的に戻すことができる。特に収納部３に物干し部材７が収納された状態でも正常な状態に自動的に戻すことができるために取り扱いが便利になる。
【００２３】
また本発明では、操作器９を操作して物干し部材７を昇降しているときに釦操作で昇降を停止した場合、弛み検知手段Ｓとしての弛み検知リミットスイッチ１７がワイヤー６の弛みを検知している状態ではモータ４の駆動を不可とすると共にこの状態において操作器９の釦操作が所定時間内に複数回行われたときにモータ４の回転を所定時間だけ反転して停止するように制御部１１で制御している。本例では操作器９の上昇操作釦１０を押し続けてモータ４を回転駆動して物干し部材７を上昇させている途中で上昇操作釦１０の押圧を解除して物干し部材７の上昇を停止したとき、ワイヤー６の弛みを検知した場合は所定時間内に上昇操作釦１０または下降兼停止操作釦２４を複数回押し操作（本例の場合３回の押し操作）することによりモータ４の回転を所定時間だけ反転して停止するように制御部１１で制御している。
【００２４】
このときのタイムチャートを図１１に示す。操作器９の上昇操作釦１０を押し続けて上昇するようにモータ４を回転駆動して物干し部材７を上昇させるときに、物干し部材７が障害物に当たりそうなのを認識して上昇操作釦１０の押圧を解除したとき、モータ４が停止して上昇が停止される。このとき、上昇操作釦１０の押圧を解除してオフすると同時にモータ４が停止するのでなく、Δｔの時間だけモータ４が惰性で動いて止まる。上昇操作釦１０の押圧を解除して物干し部材７の上昇を止めたとき、物干し部材７が既に障害物に当たって弛み検知リミットスイッチ１７がワイヤー６を弛みを検知していると、上昇操作釦１０または下降兼停止操作釦２４を複数回繰り返して押圧操作することにより、モータ４が所定時間（例えば０．５秒）反転駆動されて停止する。これにより、物干し部材７が水平になると共に弛み検知が解除され正常な状態に戻される。これはスイッチを押しても動かなくなったときに人はスイッチをカチャカチャと数回押し操作を繰り返す心理的な現象を利用して正常に戻す操作を行うようになっている。
【００２５】
上記のように操作を行うときの例としては、物干し部材７をＢ位置からＡ位置に上昇させて物干し部材７を収納部３に収納するとき、物干し竿１４の長手方向の一端が伸びたままになっている場合がある。Ｂ位置からＡ位置に上昇させるために上昇操作釦１０を押して上昇させる操作をしているときに物干し竿１４の一端が伸びたままであることを認識すると、上昇操作釦１０を押圧を解除するが、このとき既に物干し竿１４の伸びた一端が天井１面に当たって物干し部材７が傾むいていると、弛み検知が働くが、このときに上昇操作釦１０または下降兼停止操作釦２４を数回繰り返して押圧するとモータ４が反転されて正常な状態に戻る。この状態から下降兼停止操作釦２４を操作して下降させると、モータ４が下降するように回転駆動されて物干し竿１４が下降して物干し竿１４を縮めて短くできる。
【図面の簡単な説明】
【００２６】
【図１】本発明の実施の形態の一例の正面から見た断面図である。
【図２】同上の側面から見た断面図である。
【図３】同上の上限リミットスイッチや干し位置検知リミットスイッチの部分を示す側面から見た断面図である。
【図４】同上の斜視図である。
【図５】同上の操作器を示す正面図である。
【図６】同上の制御ブロック図である。
【図７】同上の動作を説明する動作説明図である。
【図８】同上の物干し部材を上昇させるときに弛みを検知した場合のタイムチャートである。
【図９】同上の物干し部材を下降させるときに弛みを検知した場合のタイムチャートである。
【図１０】同上の物干し部材を上限まで上昇させるときに弛みを検知した場合のタイムチャートである。
【図１１】同上の物干し部材の上昇を停止したときに弛みを検知した場合のタイムチャートである。
【符号の説明】
【００２７】
１  天井
４  モータ
５  巻き取りドラム  
６  ワイヤー
７  物干し部材
１６  プーリー
Ｓ  弛み検知手段
【図１】
2006102381.tif 000003
【図２】
2006102381.tif 000004
【図３】
2006102381.tif 000005
【図４】
2006102381.tif 000006
【図５】
2006102381.tif 000007
【図６】
2006102381.tif 000008
【図７】
2006102381.tif 000009
【図８】
2006102381.tif 000010
【図９】
2006102381.tif 000011
【図１０】
2006102381.tif 000012
【図１１】
2006102381.tif 000013